【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
衛星測位情報を使用してＷＬＡＮを利用した位置推定の精度を高める方法において、
１つ又はそれ以上のＷＬＡＮアクセスポイントに基づいてＷＬＡＮと衛星を使用することができる装置に対して一組の有力なＷＬＡＮ位置導出解を決定することと、
少なくとも２つの異なる衛星から、ＷＬＡＮと衛星を使用することができる装置のために衛星情報を取得することと、
有力なＷＬＡＮ位置導出解の組から最良のＷＬＡＮ位置導出解を決定するために少なくとも２つの異なる衛星からの衛星情報を使用することを備えている方法。
【請求項２】
有力なＷＬＡＮ位置導出解の前記組から前記最良のＷＬＡＮ位置導出解を決定するために前記少なくとも２つの異なる衛星からの前記衛星情報を使用することは、
前記衛星情報に対する前記有力なＷＬＡＮ位置導出解のそれぞれを検証することと、
前記衛星情報を満足する前記有力なＷＬＡＮ位置標定のどれかに基づいて前記位置を選択することを備えている、請求項１に記載の方法。
【請求項３】
有力なＷＬＡＮ位置導出解の前記組から前記最良のＷＬＡＮ位置導出解を決定するために前記少なくとも２つの異なる前記衛星からの衛星位置情報を使用する段階は、
前記衛星情報と一致しない有力なＷＬＡＮ位置導出解を削除することを備えている、請求項１に記載の方法。
【請求項４】
前記衛星情報と一致した前記ＷＬＡＮ位置導出解は、前記有力なＷＬＡＮを利用した位置推定のそれぞれを前記衛星情報に適用すること及びそれぞれの有力なＷＬＡＮを利用した位置推定に対して前記内部ＳＰＳ受信機クロックバイアスを計算すること、によって測定される、請求項３に記載の方法。
【請求項５】
前記有力なＷＬＡＮを利用した位置推定のそれぞれに対する前記内部ＳＰＳ受信機クロックの前記一致性は、前記ＷＬＡＮを利用した位置推定及び衛星測位システムの有力な導出解の間の距離を示すものとして使用される、請求項４に記載の方法。
【請求項６】
前記有力なＷＬＡＮを利用した位置推定のそれぞれに対する前記内部ＳＰＳ受信機クロックの前記一致性は、前記ＷＬＡＮを利用した位置推定及び前記衛星情報の間の一致性を示すものとして使用され、
所与のＷＬＡＮを利用した位置推定に対して前記取得した衛星に亘って実質的に同じ前記内部ＳＰＳ受信機クロックバイアスは、良好な位置推定であることを示し、
さらに、所与のＷＬＡＮを利用した位置推定に対して前記取得した衛星に亘る内部ＳＰＳ受信機クロックバイアスの不均一値は、不良な位置推定であることを示す、請求項４に記載の方法。
【請求項７】
有力なＷＬＡＮ位置導出解の前記組は、クラスターを備えている、請求項１に記載の方法。
【請求項８】
前記衛星情報は、衛星位置データ、衛星速度データ、疑似距離測定、ドップラー周波数測定、信号伝送時間、衛星の状態情報、及び地上での衛星信号の測定を備えている、請求項１に記載の方法。
【請求項９】
衛星測位情報を使用してＷＬＡＮを利用した位置推定の精度を高めるシステムにおいて、
測位モジュールであって、
１つ又はそれ以上のＷＬＡＮアクセスポイントから情報を受信するためのＷＬＡＮモジュールと、
少なくとも２つの異なる衛星から衛星情報を取得するための衛星測位モジュールと、を備えている測位モジュールと、
１つ又はそれ以上のＷＬＡＮアクセスポイントに基づいて一組の有力なＷＬＡＮ位置導出解を決定するために、前記ＷＬＡＮモジュールの中に組み込まれる論理と、
有力なＷＬＡＮ位置導出解の前記組から最良のＷＬＡＮ位置導出解を決定するために前記少なくとも２つの異なる衛星からの前記衛星情報を使用するために、前記測位モジュールの中に組み込まれる論理と、を備えているシステム。
【請求項１０】
有力なＷＬＡＮ位置導出解の前記組から前記最良のＷＬＡＮ位置導出解を決定するために前記少なくとも２つの異なる衛星からの前記衛星情報を使用するために前記測位モジュールの中に位置している前記論理は、前記衛星情報に対する前記有力なＷＬＡＮ位置導出解のそれぞれを検証するため及び前記衛星情報を満足する前記有力なＷＬＡＮ位置標定のどれかに基づいて位置を選択するため、の論理を更に備えている、請求項９に記載のシステム。
【請求項１１】
前記衛星情報と一致した前記ＷＬＡＮ位置導出解は、前記有力なＷＬＡＮを利用した位置推定のそれぞれを前記衛星情報に適用すること及びそれぞれの有力なＷＬＡＮを利用した位置推定に対して内部ＳＰＳ受信機クロックバイアスを計算すること、によって測定される、請求項１０に記載のシステム。
【請求項１２】
前記有力なＷＬＡＮを利用した位置推定のそれぞれに対する前記内部ＳＰＳ受信機クロックの前記一致性は、前記ＷＬＡＮを利用した位置推定及び衛星測位システムの有力な導出解の間の距離を示すものとして使用される、請求項１１に記載のシステム。
【請求項１３】
前記有力なＷＬＡＮを利用した位置推定のそれぞれに対する前記内部ＳＰＳ受信機クロックの前記一致性は、前記ＷＬＡＮを利用した位置推定及び前記衛星情報の間の一致性を示すものとして使用される、請求項１１に記載のシステム。
【請求項１４】
所与のＷＬＡＮを利用した位置推定に対して前記取得した衛星に亘って実質的に同じ前記内部ＳＰＳ受信機クロックバイアスは、良好な位置推定であることを示す、請求項１１に記載のシステム。
【請求項１５】
所与のＷＬＡＮを利用した位置推定に対して前記取得した衛星に亘る内部ＳＰＳ受信機クロックの不均一値は、不良な位置推定であることを示す、請求項１１に記載のシステム
【請求項１６】
前記衛星情報は、衛星位置データ、衛星速度データ、疑似距離測定、ドップラー周波数測定、信号伝送時間、衛星の状態情報、及び地上での衛星信号の測定を備えている、請求項９に記載のシステム。
【請求項１７】
有力なＷＬＡＮ位置導出解の前記組は、クラスターを備えている、請求項９に記載のシステム。
【請求項１８】
有力なＷＬＡＮ位置導出解の前記組を決定することは、
前記ＷＬＡＮ位置推定の予測誤差に基づいてＷＬＡＮ位置推定の周囲の不確定区域を決定することを含み、前記不確定区域は、複数の有力な位置導出解を有しており、
さらに、有力なＷＬＡＮ位置導出解の前記組から最良のＷＬＡＮ位置導出解を決定することは、
前記衛星情報を最もよく満足する前記ＷＬＡＮ位置の不確定区域の内側で前記装置位置導出解を決定することを含んでいることと特徴とする、請求項１に記載の方法。
【請求項１９】
前記不確定区域をグリッドに分割し、当該グリッドの各点の前記衛星情報を使用して前記ＷＬＡＮ位置推定を評価することを備えている、請求項１８に記載の方法。
【請求項２０】
各グリッド点の前記衛星情報の前記内部ＳＰＳ受信機クロックバイアスを決定することを更に備えている、請求項１９に記載の方法。
【請求項２１】
前記装置の前記位置を決定するために前記衛星情報の前記内部ＳＰＳ受信機クロックバイアスの前記一致性を使用することを備えている、請求項２０に記載の方法。
【請求項２２】
前記一組の有力なＷＬＡＮ位置導出解を決定する前記論理は、前記ＷＬＡＮ位置推定の予測誤差に基づいてＷＬＡＮ位置推定の周囲の不確定区域を決定する論理を含み、前記区域は、複数の有力な位置導出解を有しており、
さらに、前記衛星情報を用いて、有力なＷＬＡＮ位置導出解の前記組から最良のＷＬＡＮ位置導出解を決定するための論理は、前記衛星情報を最もよく満足する前記ＷＬＡＮ位置導出解として、前記装置の位置を決定する論理を含んでいることを特徴とする、請求項９に記載のシステム。
【請求項２３】
前記不確定区域を決定する論理は、当該不確定区域をグリッドに分割し、
前記最良のＷＬＡＮ位置導出解を決定するための論理は、前記グリッドの各点の前記衛星情報を使用して前記ＷＬＡＮ位置推定を評価することを特徴とする請求項２２に記載のシステム。
【請求項２４】
前記最良のＷＬＡＮ位置導出解を決定するための論理は、各グリッド点の前記衛星情報の前記内部ＳＰＳ受信機クロックバイアスを決定する、請求項２３に記載のシステム。
【請求項２５】
前記衛星情報の前記内部ＳＰＳ受信機クロックバイアスの前記一致性は、前記装置の前記位置を決定するために使用される、請求項２４に記載のシステム。
【請求項２６】
衛星測位システム用の初期位置としてＷＬＡＮ位置推定を使用することでＷＬＡＮと衛星を使用することができる装置の位置を決定する方法において、
ＷＬＡＮと衛星を使用することができる装置の範囲内にある１つ又はそれ以上のＷＬＡＮアクセスポイントから信号を受信することと、
少なくとも一つの、前記ＷＬＡＮと衛星を使用することができる装置のＷＬＡＮ位置推定を決定することと、
少なくとも、１つ又はそれ以上のＷＬＡＮアクセスポイントから受信した信号に基づく不確定な推定に一致すること、
前記衛星位置システムにより使用される初期位置として、前記ＷＬＡＮと衛星を使用することができる装置の少なくとも一つのＷＬＡＮ位置推定を使用することと、
前記ＷＬＡＮと衛星を使用することができる装置の少なくとも一つの最終位置推定を決定するために、該当する不確定な推定を使用することと、
を備えている方法。
【請求項２７】
ＷＬＡＮ測位システムによって提供される初期位置を使用して衛星を利用した位置推定の測位時間を減少するためのシステムにおいて、
ＷＬＡＮと衛星を使用することができる装置の範囲内にある１つ又はそれ以上のＷＬＡＮアクセスポイントから信号を受信し、前記ＷＬＡＮと衛星を使用することができる装置の少なくとも一つの位置推定を決定し、１つ又はそれ以上のＷＬＡＮアクセスポイントから受信した信号に基づく少なくとも一つの該当する不確定な推定を決定するためのＷＬＡＮモジュールと、
少なくとも４つの異なる衛星から衛星情報を取得するための衛星測位モジュールであって、前記衛星測位モジュールは、初期位置として、ＷＬＡＮと衛星を使用することができる装置のＷＬＡＮ位置推定と、前記ＷＬＡＮと衛星を使用することができる装置の最終位置推定を決定するために、少なくとも一つの該当する不確定な推定を使用する、衛星測位モジュールと、を備えている測位モジュールを備えているシステム。
【請求項２８】
ＷＬＡＮと衛星を使用することができる装置の位置決定の予測誤差を決定する方法において、
ＷＬＡＮ位置推定及び前記ＷＬＡＮ位置推定のための予測誤差推定を決定することと、
衛星測位システムの少なくとも２つの衛星から測定値を取得することと、
前記衛星測位システム測定値の前記ＷＬＡＮ測位システム位置推定に対する一致性を評価することで前記位置決定の予測誤差を決定することと、を備えている方法。
【請求項２９】
前記ＷＬＡＮ位置推定と前記衛星測位システム測定値の間の一致した測定値は、前記位置決定により低い予測誤差をもたらす、請求項２８に記載の方法。
【請求項３０】
前記ＷＬＡＮ位置推定と前記衛星測位システム測定値の間の一致していない測定値は、前記位置決定により高い予測誤差をもたらす、請求項２８に記載の方法。
【請求項３１】
前記測定値の一致性は、前記ＷＬＡＮ測位システム位置推定と前記衛星測位システム測定値によって提供される予測導出解の領域の間に隔たりを含んでいる、請求項２８に記載の方法。
【請求項３２】
前記ＷＬＡＮを利用した位置推定に対する前記内部ＳＰＳ受信機クロックの前記一致性は、前記ＷＬＡＮを利用した位置推定と前記衛星測定値の間の一致性を示すものとして使用される、請求項２８に記載の方法。
【請求項３３】
ＷＬＡＮと衛星を使用することができる装置の位置決定の予測誤差を決定するためのシステムにおいて、
ＷＬＡＮ位置推定を計算するために１つ又はそれ以上のＷＬＡＮアクセスポイントから情報を受信するためのＷＬＡＮモジュールと、
少なくとも２つの異なる衛星から衛星情報を取得するための衛星測位モジュールと、を備えている、測位モジュールと、
前記衛星測位システム測定値の前記ＷＬＡＮ測位システム位置推定に対する前記一致性を評価することで前記位置決定の予測誤差を決定するための前記測位モジュールの中に組み込まれる論理と、を備えているシステム。
【請求項３４】
前記ＷＬＡＮ位置推定と前記衛星情報の間の一致した測定値は、前記位置決定により低い予測誤差をもたらす、請求項３３に記載のシステム。
【請求項３５】
前記ＷＬＡＮ位置推定と前記衛星情報の間の一致していない測定値は、前記位置決定により高い予測誤差をもたらす、請求項３３に記載のシステム。
【請求項３６】
前記測定値の一致性は、前記ＷＬＡＮ位置推定と前記衛星情報によって提供される予測導出解の領域の間に隔たりを含んでいる、請求項３３に記載のシステム。
【請求項３７】
前記ＷＬＡＮ位置推定に対する前記衛星測位モジュールの内部の衛星測位システム受信機クロックの前記一致性は、前記ＷＬＡＮ位置推定と前記衛星情報の間の一致性を示すものとして使用される、請求項３３に記載のシステム。
【請求項３８】
前記ＷＬＡＮ位置推定システムは、大都市圏内のＷＬＡＮ測位システムであることを特徴とする、請求項２６に記載の方法。
【請求項３９】
前記大都市圏内のＷＬＡＮ測位システムは、公的及び私的なアクセスポイントを使用することを特徴とする、請求項３８に記載の方法。
【請求項４０】
前記ＷＬＡＮ位置推定システムは、大都市圏内のＷＬＡＮ測位システムであることを特徴とする、請求項２７に記載のシステム。
【請求項４１】
前記大都市圏内のＷＬＡＮ測位システムは、公的及び私的なアクセスポイントを使用することを特徴とする、請求項４０に記載の方法。